(57)【要約】【課題】移動部材によって吊られた戸部材の下部が振れないように安定して支持できるとともに、塵埃がたまりにくく、また、床面の施工に手数や制約がかからない吊り戸装置を提供すること。【解決手段】固定側に取り付けられた上レール１に沿って移動可能に設けられた移動部材２と、この移動部材２によって吊られた戸部材３とよりなる吊り戸装置において、戸部材３の下端部にばね部材４を介して昇降可能に戸車部材５を配設し、この戸車部材５により戸部材３の荷重の一部を支持する。【選択図】図１
2008291515.tif 000002
【特許請求の範囲】
【請求項１】
固定側に取り付けられた上レールに沿って移動可能に設けられた移動部材と、該移動部材によって吊られた戸部材とよりなる吊り戸装置において、前記戸部材の下端部にばね部材を介して昇降可能に戸車部材を配設し、該戸車部材により戸部材の荷重の一部を支持するようにしたことを特徴とする吊り戸装置。
【請求項２】
戸車部材の上下方向の寸法を変更することにより戸車部材により支持する戸部材の荷重の割合を調整する寸法調節機構を設けたことを特徴とする請求項１記載の吊り戸装置。
【請求項３】
戸車部材により戸部材の荷重の２０〜８０％を支持するようにしたことを特徴とする請求項１又は２記載の吊り戸装置。
【請求項４】
戸車が柔軟性を有するゴム又は合成樹脂製の戸車を備えたことを特徴とする請求項１、２又は３記載の吊り戸装置。
【請求項５】
戸車を案内する深さ３ｍｍ未満の溝を形成した下レールを床面に敷設したことを特徴とする請求項１、２又は３記載の吊り戸装置。
【発明の詳細な説明】
【技術分野】
【０００１】
本発明は、吊り戸装置に関し、床面のバリアフリー化に容易に対応することができる吊り戸装置に関するものである。
【背景技術】
【０００２】
従来、固定側に取り付けられた上レールに沿って移動可能に設けられた移動部材と、この移動部材によって吊られた戸部材とよりなる吊り戸装置が汎用されている。
【０００３】
ところで、この種の吊り戸装置は、移動部材によって吊られた戸部材の下部が振れないようにするため、床面から戸部材の下面に向けてガイドピンを突出させ、このガイドピンによって戸部材の下部を案内するようにした吊り戸装置（例えば、特許文献１参照）、戸部材の下面から床面に向けてガイドピンを突出させ、このガイドピンを床面に敷設した下レールに形成した溝内に挿入し、この下レールによって戸部材の下部を案内するようにした吊り戸装置（例えば、特許文献２参照）等の振れ止め機構が提案されている。
【０００４】
ところで、従来の移動部材によって吊られた戸部材の下部が振れないようにするための振れ止め機構を設けた吊り戸装置は、床面から戸部材の下面に向けて突出させるガイドピンの動作が安定しなかったり、戸部材の下面から床面に向けて突出させたガイドピンを挿入する床面に敷設した下レールの溝内に塵埃が侵入する等の問題に加え、また、床面にガイドピンやガイドピンを挿入する溝を形成した下レールを設ける必要があり、床面の施工に手数や制約がかかるという問題があった。
【特許文献１】特開平４−２９７６８７号公報
【特許文献２】特開平７−４２４６０号公報
【発明の開示】
【発明が解決しようとする課題】
【０００５】
本発明は、上記従来の吊り戸装置の有する問題点に鑑み、移動部材によって吊られた戸部材の下部が振れないように安定して支持できるとともに、塵埃がたまりにくく、また、床面の施工に手数や制約がかからない吊り戸装置を提供することを目的とする。
【課題を解決するための手段】
【０００６】
上記目的を達成するため、本発明の吊り戸装置は、固定側に取り付けられた上レールに沿って移動可能に設けられた移動部材と、該移動部材によって吊られた戸部材とよりなる吊り戸装置において、前記戸部材の下端部にばね部材を介して昇降可能に戸車部材を配設し、該戸車部材により戸部材の荷重の一部を支持するようにしたことを特徴とする。
【０００７】
この場合において、戸車部材の上下方向の寸法を変更することにより戸車部材により支持する戸部材の荷重の割合を調整する寸法調節機構を設けることができる。
【０００８】
また、戸車部材により戸部材の荷重の２０〜８０％を支持するようにすることができる。
【０００９】
また、戸車が柔軟性を有するゴム又は合成樹脂製の戸車を備えることができる。
【００１０】
また、戸車を案内する深さ３ｍｍ未満の溝を形成した下レールを床面に敷設することができる。
【発明の効果】
【００１１】
本発明の吊り戸装置によれば、戸部材の下端部にばね部材を介して昇降可能に戸車部材を配設し、戸車部材により戸部材の荷重の一部を支持するようにしたことから、移動部材によって吊られた戸部材の下部が、戸車部材を介して床面に確実に接地し、戸部材の下部を振れないように安定して支持できるとともに、塵埃がたまりにくく、また、床面の施工に手数や制約がかからない吊り戸装置を提供することができ、これにより、床面のバリアフリー化に容易に対応することができる。
【００１２】
また、戸車部材の上下方向の寸法を変更することにより戸車部材により支持する戸部材の荷重の割合を調整する寸法調節機構を設けることにより、戸車部材により支持する戸部材の荷重の割合を施工後もユーザー側で容易に調整することができる。
【００１３】
また、戸車部材により戸部材の荷重の２０〜８０％を支持するようにすることにより、移動部材によって吊られた戸部材を、移動部材及び戸車部材により安定して支持することができる。
【００１４】
また、戸車が柔軟性を有するゴム又は合成樹脂製の戸車を備えることにより、戸車によって床面を傷付けることがないため、戸車を直接床面を走行させるようにすることができる。
【００１５】
また、戸車を案内する深さ３ｍｍ未満の溝を形成した下レールを床面に敷設することにより、塵埃がたまりにくく、また、床面の施工に手数や制約がかからない範囲で、戸車を下レールにより安定して案内することができる。
【発明を実施するための最良の形態】
【００１６】
以下、本発明の吊り戸装置の実施の形態を、吊り戸装置に基づいて説明する。
【実施例１】
【００１７】
図１〜図２に、本発明の吊り戸装置の一実施例を示す。
この吊り戸装置は、固定側に取り付けられた上レール１に沿って移動可能に設けられた移動部材２と、この移動部材２によって吊られた戸部材３とよりなる吊り戸装置において、戸部材３の下端部にばね部材４を介して昇降可能に戸車部材５を配設し、この戸車部材５により戸部材３の荷重の一部を床面Ｆで支持するようにしたものである。
【００１８】
これにより、移動部材２によって吊られた戸部材３の下部が、戸車部材５を介して床面Ｆに確実に接地し、戸部材３の下部を振れないように安定して支持することができる。
【００１９】
この場合において、戸車部材５は、戸部材３の下端部に固定具７によって固定されるケース６内で、ばね部材４を介して、昇降可能に摺動する摺動体５１と、摺動体５１内に配設した戸車５２とからなる。
【００２０】
戸車５２は、摺動体５１に直接軸支することもできるが、本実施例においては、戸車部材５の上下方向の寸法を変更することにより戸車部材５により支持する戸部材３の荷重の割合を調整する寸法調節機構５３を設け、これに戸車５２を軸支するようにしている。
寸法調節機構５３は、戸車部材５の上下方向の寸法を変更することができる限りにおいて、種々の機構を採用することができるが、ここでは、寸法の変更を戸部材３の側面からできるように、寸法調節機構５３を、摺動体５１に配設した調節ねじ５３ａと、調節ねじ５３ａに螺合する調節片５３ｂと、調節片５３ｂの傾斜部に支持されて、摺動体５１内で昇降可能に摺動する内摺動体５３ｃとから構成し、内摺動体５３ｃに戸車５２を軸支するようにしている。
これにより、戸車部材５により支持する戸部材３の荷重の割合を、図２（ｂ）に示す、戸車部材５の上下方向の寸法が小さい、戸車部材５により支持する戸部材３の荷重の割合が小さい状態と、図２（ｃ）に示す、戸車部材５の上下方向の寸法が大きい、戸車部材５により支持する戸部材３の荷重の割合が大きい状態との間で、任意に、かつ、施工後もユーザー側で容易に調整することができるものとなる。
【００２１】
また、戸部材３の下端部にばね部材４を介して昇降可能に配設した戸車部材５は、戸部材３の荷重の一部を床面Ｆで支持するものであるが、戸部材３に通常２個配設する戸車部材５によって支持する戸部材３の荷重の割合は、戸部材３の荷重の２０〜８０％、好ましくは、３０〜５０％とし、残りを移動部材２により固定側に取り付けられた上レール１で支持するようにする。
これにより、移動部材２によって吊られた戸部材３を、移動部材２及び戸車部材５により安定して支持することができる。
なお、戸車部材５によって支持する戸部材３の荷重の割合が、戸部材３の荷重の２０％未満の場合は、移動部材２によって吊られた戸部材３の下部が確実に床面Ｆに接地した状態を維持しにくく、例えば、戸部材３に人がぶつかる等の大きな負荷がかかったときに戸部材３の下部を振れないように支持することが困難となり、また、８０％を越える場合は、移動部材２が上レール１から離脱しやすくなり、別途離脱防止機構を設ける必要があり、いずれも好ましくない。
【００２２】
ところで、本実施例においては、戸車部材５により戸部材３の荷重の一部を床面Ｆで直接支持するようにしているが、この場合は、戸車５２を柔軟性を有するゴム又は合成樹脂製の材料で構成することが好ましい。
これにより、戸車５２によって床面Ｆを傷付けることがないため、床面Ｆに下レールを敷設する必要がなく、戸車５２を直接床面Ｆを走行させるようにすることができる。
【００２３】
また、図３に示すように、床面Ｆに下レール８を敷設する場合には、下レール８に戸車５２を案内する深さ３ｍｍ未満の溝８１を長手方向に形成したもの用いることが好ましい。
なお、溝８１の形状は、特に限定されるものではないが、例えば、図３（ａ）に示すように、断面三角形状、図３（ｂ）に示すように、円弧形状等、任意の形状を採用することができる。
これにより、塵埃がたまりにくく、また、床面Ｆの施工に手数や制約がかからない範囲で、戸車５２を下レール８により安定して案内することができる。
【００２４】
この吊り戸装置によれば、固定側に取り付けられた上レール１に沿って移動可能に設けられた移動部材２と、この移動部材２によって吊られた戸部材３とよりなる吊り戸装置において、戸部材３の下端部にばね部材４を介して昇降可能に戸車部材５を配設し、この戸車部材５により戸部材３の荷重の一部を支持するようにしたことから、移動部材２によって吊られた戸部材３の下部が、戸車部材５を介して床面Ｆに確実に接地し、戸部材３の下部を振れないように安定して支持できるとともに、塵埃がたまりにくく、また、床面Ｆの施工に手数や制約がかからない吊り戸装置を提供することができ、これにより、床面Ｆのバリアフリー化に容易に対応することができる。
【００２５】
以上、本発明の吊り戸装置について、その実施例に基づいて説明したが、本発明は上記実施例に記載した構成に限定されるものではなく、その趣旨を逸脱しない範囲において適宜その構成を変更することができ、また、本明細書において、「戸部材」の概念には、通常の間仕切り用の引戸のほか、移動式の仕切り壁等を含み、これを排除しないものである。
【産業上の利用可能性】
【００２６】
本発明の吊り戸装置は、移動部材によって吊られた戸部材の下部が振れないように安定して支持できるとともに、塵埃がたまりにくく、また、床面の施工に手数や制約がかからないという特性を有していることから、吊り戸装置、特に、床面をバリアフリー化する必要のある間仕切り用の引戸等に好適に用いることができ、また、移動式の仕切り壁等の用途にも広く用いることができる。
【図面の簡単な説明】
【００２７】
【図１】本発明の吊り戸装置の一実施例を示す正面図である。
【図２】同吊り戸装置の戸車部材を示し、（ａ）は側面図、（ｂ）は戸車部材の上下方向の寸法が小さくなるように調節した状態の正面断面図、（ｃ）は戸車部材の上下方向の寸法が大きくなるように調節した状態の正面断面図、（ｄ）は戸車部材により戸部材の荷重の一部を支持しているときの正面断面図である。
【図３】同吊り戸装置の戸車及び下レールを示す説明図である。
【符号の説明】
【００２８】
１    上レール
２    移動部材
３    戸部材
４    ばね部材
５    戸車部材
５１  摺動体
５２  戸車
５３  寸法調節機構
５３ａ  調節ねじ
５３ｂ  調節片
５３ｃ  内摺動体
６    ケース
７    固定具
８    下レール
８１  溝
Ｆ    床面
【図１】
2008291515.tif 000003
【図２】
2008291515.tif 000004
【図３】
2008291515.tif 000005